(57)【要約】  本発明は、煎出飲料を調製するための装置に関する。この装置は、液体を収容しかつその煎出容器の外に液体が流れ出すことを可能にする開口を備える煎出容器を含む。この装置は、さらに、煎出性材料を収容するカートリッジを受け入れるための空洞を備える受け容器を含む。煎出容器と受け容器は、煎出容器と空洞とが開口を通して互いに連通する位置に配置されるように互いに対して相対的に作動可能である。この装置は、さらに、液体が煎出容器から空洞を通ってその通路に流れることを可能にするための、空洞と連通する開閉可能な通路を備える。この装置は、さらに、煎出容器の中に液体および／または蒸気を送り込むためのクリーニング手段と、空洞からカートリッジを取り除くための取り除き手段とを含む。作動手段が、クリーニング手段と取り除き手段とを連続的に作動させるように配置されている。
2009511099.tif 000002
【特許請求の範囲】
【請求項１】
煎出飲料を調製する装置（２）であって、
ａ）液体（４）を収容するための煎出容器（６）であって、この容器（６）の外に前記液体（４）が流れ出すことを可能にする開口（８）を備える煎出容器（６）と、
ｂ）煎出性材料（１４）を収容するカートリッジ（１２）を受け入れるための空洞（１６）を画定する受け容器（１０）であって、前記煎出容器（６）とこの受け容器（１０）は、前記煎出容器（６）と前記空洞（１６）とが前記開口（８）を経由して互いに連通する位置に配置されるように互いに対して相対的に作動可能である受け容器（１０）と、
ｃ）開閉可能な通路（１８）であって、前記液体（４）が前記煎出容器（６）からこの通路（１８）内に前記空洞（１６）を通って流れ込むことを可能にするために、前記空洞（１６）と連通する通路（１８）
とを含む装置（２）において、
ｄ）前記煎出容器（６）内に液体および／または蒸気を送り込むためのクリーニング手段と、
ｅ）前記空洞（１６）から前記カートリッジ（１２）を取り除くための取り除き手段と、
ｆ）前記クリーニング手段と前記取り除き手段とを連続的に作動させるための作動手段
とをさらに含むことを特徴とする装置（２）。
【請求項２】
前記作動手段は、前記クリーニング手段と前記取り出し手段と再び前記クリーニング手段とを作動させるようになっている請求項１に記載の装置（２）。
【請求項３】
前記空洞（１６）を通して前記煎出容器（６）内に気体を送り込むための送り込み手段をさらに含む請求項１または２に記載の装置（２）。
【請求項４】
前記送り込み手段は、前記空洞（１８）内に配置されておりかつ前記気体を送り込むための少なくとも１つの注入開口（１１３）を備えている、突出ノズル（１１２）を備える請求項３に記載の装置（２）。
【請求項５】
前記装置は、前記カートリッジ（１２）から調製パラメータを読み取るための自動読み取り手段（３４）を備え、前記調製パラメータは、煎出温度、煎出持続時間、気体の送り込みが何時行われるのか、この気体の送り込みはどれだけ長く続くのか、および、これらのパラメータの組み合わせから成るグループから選択される請求項４に記載の装置（２）。
【請求項６】
前記通路（１８）は、煎出液体（４）が前記通路（１８）からカップ内に直接的に流れ込むことを可能にする噴出口（１９）を備える請求項１から５のいずれか１項に記載の装置（２）。
【請求項７】
前記装置は、さらに、廃棄物クリーニング液体および／または蒸気（２２）を集めるための第１の廃棄物容器（７６）と、前記空洞（１６）から取り除かれた使用済みカートリッジ（１２）を受け入れるための第２の廃棄物容器（７８）とをさらに備える請求項１から６のいずれか１項に記載の装置（２）。
【請求項８】
液体（４）を収容するための煎出容器（６）と空洞（１６）を備える受け容器（１０）とを含む装置において煎出飲料を調製するプロセスであって、前記煎出容器（６）は、液体（４）が流れ出るための開口（８）を備え、このプロセスは、
ａ）煎出性材料（１４）を収容するカートリッジ（１２）を前記空洞（１６）内に挿入する段階であって、前記カートリッジ（１２）は、液体を通過させるためのフィルタ（４４）を備える段階と、
ｂ）前記煎出容器（６）と前記空洞（１６）とが前記開口（８）を通して互いに連通するように、特定の位置において前記容器（６）と前記受け容器（１０）とを互いに対して相対的に配置する段階と、
ｃ）前記液体が前記空洞（１６）に流れて、前記カートリッジ（１２）内に収容されている煎出性材料（１４）を浸すように、前記煎出容器（６）内での煎出のために液体（４）を送り込む段階と、
ｄ）前記装置（２）の通路（１８）を開く段階であって、前記通路（１８）は、前記煎出液体（４）を前記煎出容器（６）から前記空洞（１６）と前記カートリッジ（１２）の前記フィルタ（４４）とを通して前記通路（１８）の中に流れ込ませるために、前記空洞（１６）と連通している段階
とを含むプロセスにおいて、
ｅ）前記容器（６）をクリーニングするために前記容器（８）の中に液体および／または蒸気を送り込む段階と、
ｆ）前記空洞（１６）から前記カートリッジ（１２）を取り除く段階
とを、さらに、連続して含むことを特徴とするプロセス。
【請求項９】
前記容器（８）の中に液体および／または蒸気を送り込むさらに別の段階を含む請求項９に記載のプロセス。
【請求項１０】
前記液体（４）を煎出のために送り込む前記段階と、前記通路（１８）を開く前記段階との間に、前記空洞（１６）を通して前記煎出容器内に気体を送り込む段階を含む請求項８または９に記載のプロセス。
【請求項１１】
煎出のために前記液体（４）を送り込む前記段階の終了と、前記通路（１８）を開く前記段階の開始との間の時間の５０−８０％において、または、より明確には６０−７０％において、および／または、煎出のために前記液体（４）を送り込む前記段階の実質的に直後に、気体を送り込む前記段階が行われる請求項１０に記載のプロセス。
【請求項１２】
煎出飲料を調製するための装置（２）内で使用するための乾燥した煎出性材料（１４）を収容するカートリッジ（１２）であって、
ａ）底部部分（４２）と、
ｂ）少なくとも１つの開口（３５）を備えている頂部部分（３８）と、
ｃ）前記底部部分（４２）と前記頂部部分（３８）とを連結する少なくとも１つの側壁（４５）
とを備えるカートリッジ（１２）において、
前記底部部分（４２）と、前記頂部部分（３８）と、前記少なくとも１つの側壁（４５）とが、前記乾燥した煎出性材料（１４）の体積の２倍から５倍の、好ましくは約４倍の体積を取り囲むことを特徴とするカートリッジ（１２）。
【発明の詳細な説明】
【技術分野】
【０００１】
本発明は、煎出飲料を調製する装置に関し、さらに特に煎出茶を調製する装置に関する。
【０００２】
この装置は、液体を収容するための、および、この容器の外に液体が流れ出ることを可能にする開口を備えるための煎出容器を含む。この装置は、さらに、煎出性材料（ｉｎｆｕｓｉｂｌｅ  ｍａｔｔｅｒ）を収容するカートリッジを受け入れるための空洞を画定する受け容器（ｒｅｃｅｐｔａｃｌｅ）も含む。この煎出容器と受け容器は、この煎出容器と空洞とが開口を経由して互いに連通する位置に配置されるように互いに対して相対的に作動可能である。この装置は、さらに、液体が煎出容器から空洞の中を経由してその開閉可能な通路に流れることを可能にするための、空洞と連通している開閉可能な通路も備える。
【０００３】
本発明は、さらに、液体を収容するための煎出容器と空洞を備える受け容器とを含む装置内において、煎出飲料を調製するためのプロセスにも関する。煎出容器は、液体が外に流れ出るための開口を備える。このプロセスは、煎出性材料を収容するカートリッジを空洞内に挿入する段階を含み、このカートリッジは液体透過性フィルタを備える。この容器と受け容器は、煎出容器と空洞とが開口を経由して互いに連通するように、特定の位置において互いに対して相対的に配置されている。煎出用の液体が空洞に流れてカートリッジ内に収容されている煎出性材料を浸すように、この煎出用の液体が煎出容器の中に送り込まれる。空洞と連通するこの装置内の通路は、煎出液体が煎出容器から空洞とカートリッジのフィルタとを経由してその通路に流れることを生じさせるために開かれる。
【０００４】
本発明は、さらに、煎出飲料を調製するための乾燥した煎出性材料を収容するカートリッジにも関する。このカートリッジは、頂部部分と、底部部分と、この頂部部分と底部部分とを連結する少なくとも１つの側壁とを備える。頂部部分は開口を備え、および、底部部分は液体透過性フィルタを備える。
【０００５】
一例としては、この煎出性材料は、茶葉、様々なハーブおよびスパイス、ハーブティ、花弁、葉、種、根、粉末、コーヒー、または、煎出されることが可能な他の材料であることが可能である。
【背景技術】
【０００６】
こうした装置とプロセスは当業では公知である。
例えば、日本特許出願ＪＰ  ２００１−１２０４３６が、熱湯で満たされることが可能である煎出タンクと、連通穴の中を通ってこのタンクと連通することが可能であるホルダとを備える茶調製装置を開示している。通路が、煎出茶を注ぎ出すためにタンクと連通している。カートリッジが使用され、および、茶葉を収容する。このカートリッジは、取り除き可能な頂部シールを有する。
【０００７】
使用時には、茶葉カートリッジがホルダ内に挿入される。このホルダが茶調製装置内に挿入される時に、このカートリッジの頂部シールが自動的に取り除かれる。ホルダ内の開放されたカートリッジはタンクの下方に移動させられる。その次に、開口がタンクの内部に下方に向けられている間に、水がタンクとホルダとの中に送り込まれる直ぐに、カートリッジ内に収容されている茶葉が煎出タンクの中に移動してその煎出タンク内で自由に浮遊することが可能である。その次に、煎出が生じる。煎出タンク内に部分的に沈められている棒を備える攪拌機構が、煎出中に水を攪拌するように作動させられることが可能である。
【０００８】
ホルダ内の排水穴と通路とが、煎出された茶をタンクから排出容器に排出するように配置されており、および、カートリッジは全体的または部分的にフィルタとして形成されている。すなわち、煎出が完了されると、タンクが空にされ、茶葉はカートリッジ内に戻って、そこに留まる。
【０００９】
この開示されている装置は、使用が容易であり、かつ、煎出液体中に茶葉が自由に浮遊することが可能にされている最中に従来通りの仕方で煎出物を調製することが容易であり、および、さらに、フィルタを形成するカートリッジ自体内での、茶葉のような使用される煎出性材料の容易な取り扱いを可能にする。しかし、従来技術の装置の場合には、煎出が連続的に行われる時に、残留物が煎出容器の内側表面上と攪拌機構の棒の上に付着する傾向がある。攪拌機構の棒には容易には手が届かず、かつ、容易にはクリーニングできない。茶または煎出液体の味すなわち風味と香りすなわち芳香との両方が以前の残留物によって漸進的に低下させられるという意味で、先行の煎出物からの残留物がその茶の品質を変化させる可能性がある。
【００１０】
これは、互いに異なる茶ブレンドのような互いに異なるタイプの煎出液体が次々に調製される時に特に問題である。この場合には、先行して煎出された飲料の残留物の特性によって、煎出飲料の適正な特性が変化させられて望ましくない形で悪影響を受ける可能性がある。
【００１１】
米国特許第４，８２９，８８９号が、熱湯で満たされることが可能な煎出タンクと、連通穴を通ってタンクと連通することが可能であるホルダとを備える、コーヒー調製装置を開示している。煎出されたコーヒーを注ぎ出すために通路がタンクと連通する。カートリッジが使用され、および、挽かれたコーヒーを収容する。このカートリッジは取り除き可能な頂部シールを有する。
【００１２】
使用時には、コーヒーカートリッジがホルダ内に挿入される。このカートリッジの頂部シールは、ホルダが装置内に挿入される時に自動的に取り除かれる。ホルダ内の開かれたカートリッジはタンクの下方に移動させられ、煎出が行われる。カートリッジが取り除かれると、タンクとホルダとがクリーニングされるクリーニング段階が行われることが可能である。
【００１３】
このクリーニングで取り除かれた残留物が洗浄水と共に排出口を通して放出される。この特許で開示されているプロセスでは、挽かれたコーヒーがコーヒーカートリッジから外に出ないはずなので、通常は残留物の体積は大きくはなく、および、このことは問題を生じさせない。このプロセスと装置とにおいて、より均一な煎出を実現するために煎出性材料がタンク内に浮遊したまま残される場合には、より大きい残留物が排出口を詰まらせることだろう。
【００１４】
国際特許出願公開ＷＯ  ９５／０１２９３  Ａ１が、茶煎出飲料を調製するための茶葉を収容するフィルタパックを開示している。このフィルタパックは、側壁と、カートリッジの底部の液体透過性フィルタと上記側壁の内側に固定されている可とう性かつ液体透過性のシートとの間の伸張可能な煎出チャンバとを備える。水がこのフィルタパックを通って循環させられると、茶葉が膨張し、煎出チャンバが、乾燥茶葉の膨張に対応するために乾燥茶葉の体積の５倍まで膨張する。
【００１５】
このフィルタパックは、このフィルタパックが中に入れられることになっているフィルタ受け容器を備える従来通りのコーヒーパーコレータにおいて使用されることが意図されている。したがって、このフィルタパックの寸法がフィルタ受け容器の寸法に依存しており、および、したがって、煎出チャンバの体積には直接的には関連付けられていない。この場合にも同様に、抽出性材料が常にフィルタパック内に残留することになり、クリーニングと残留物処分の問題が回避される。
【発明の開示】
【発明が解決しようとする課題】
【００１６】
本発明の目的が、同一タイプの煎出性材料であるか、または、異なるタイプの抽出性材料であるかに係わらず、先行の煎出からの残留物によって煎出飲料の品質を大きく変化させることなしに連続的な煎出が行われることが可能な、装置およびプロセスを提供することである。
【課題を解決するための手段】
【００１７】
このために、本発明による装置は、煎出チャンバ内に液体および／または蒸気を送り込むためのクリーニング手段と、空洞からカートリッジを取り除くための取り除き手段と、クリーニング手段と取り除き手段とを連続的に作動させるための作動手段とを含む。
【００１８】
使用時には、煎出性材料を収容するカートリッジが、その装置の受け容器内に画定されている空洞の中に入れられる。このカートリッジの底部部分は液体透過性フィルタを備える。開口を備える液体を収容する煎出容器と、受け容器とが、煎出容器と空洞とが開口を通して互いに連通する位置において互いに対して相対的に配置されている。液体が煎出容器の中に注入され、および、煎出性材料がその液体の中に浸されることが可能であるように空洞に流れる。煎出が行われる。煎出が終了すると、空洞に連通するその装置内の通路が、煎出液体が煎出容器から空洞とカートリッジのフィルタとを経由してその通路に流れることを生じさせるために開かれる。
【００１９】
煎出された液体が一時的な貯蔵容器の中に注ぎ込まれ終わった直後、またはカップの中に直接的に注ぎ込まれ終わった直後には、煎出容器は、煎出容器の内壁上に付着する茶葉のような大きな残留物を依然として含むだろう。液体および／または蒸気を煎出容器内に送り込むことによって、クリーニング作業が行われる。
【００２０】
蒸気が煎出容器の内壁に接触して濃縮すると同時に、液体が空洞とカートリッジフィルタとを通って通路に向かって流れる。煎出容器の内壁上に付着している大きな残留物のすべてが引き剥がされて、すでにカートリッジ内に付着している煎出性材料と共にカートリッジ内に集められる。このプロセスは、煎出容器の内壁上に付着しておりかつ後続の煎出飲料を変化させることがある残留物をその煎出容器から取り除くことを可能にする。この残留物はカートリッジ内に集められ、カートリッジと共に空洞から取り除かれる。
【００２１】
液体および／または蒸気が、煎出容器内に送り込まれる時に、その煎出容器の内壁に向けて方向付けられることが好ましい。この液体は、微粒子を洗い流すために内壁に沿って流れる。
【００２２】
煎出容器の内壁の高速で効率的なクリーニングを実現するために、クリーニング手段が、高圧力と高温度で煎出容器の内壁に向けて液体および／または蒸気を注入することが好ましい。
【００２３】
作動手段が、クリーニング手段が煎出容器の中に液体および／または蒸気を送り込むことを停止させる。煎出容器が空になると、この作動手段は、カートリッジを空洞から自動的に取り除くために取り除き手段を作動させる。クリーニング手段を作動させることとカートリッジの取り除きとの間の遅延は、煎出容器の体積と、クリーニング手段によって煎出容器内に注入される液体および／または蒸気の量とに依存している。
【００２４】
本発明のさらに別の目的が、この装置の実質的にすべての部分から煎出飲料がクリーニングされる装置とプロセスとを提供することである。
【００２５】
このために、作動手段は、クリーニング手段と取り除き手段と再びクリーニング手段とを連続的に操作するようになっている。
【００２６】
カートリッジが空洞内に引き込まれると、クリーニング手段が再び作動させられる。液体および／または蒸気が煎出チャンバの中に注入される。液体は煎出容器から空の空洞を通って通路に流れる。この動作は、煎出飲料に接触していたその装置の実質的にすべての部分をクリーニングおよび洗浄することを可能にする。このことが、後続の煎出飲料が先行の煎出飲料からの何らかの液体残留物と混合されることを防止する。
【００２７】
第２のクリーニング作業が、さらに、第１のクリーニングプロセスによって煎出容器から洗い流されなかったかまたは（例えば空洞内で）煎出飲料と接触しているその装置の部分のすべての中のどこかに位置しているあらゆる小さな残留物の取り除きを可能にする。こうした小さな残留物も後続の煎出飲料中で再び煎出する可能性があるので、こうした小さい残留物を洗い流すことが重要である。
【００２８】
これら３つの連続した作業が、好ましくは事後に迅速に行われる時に、煎出容器からあらゆる残留物を適切に取り除くことが発見されている。この装置は、同一のタイプまたは互いに異なるタイプの煎出飲料の連続的な調製を可能にすると同時に、先行の煎出物からの液体残留物または固体残留物による飲料の品質の変化を防止する。この３つの連続した作業は、さらに、煎出容器の内側が汚されることを適切に防止する。
【００２９】
有利であることに、空洞は煎出容器の下方に配置されてよい。この位置が、カートリッジ内に煎出性材料をより適切に収集することを可能にする。
【００３０】
有利であることに、液体容器は着脱可能であってよい。このことが、任意のクリーニング製品を用いて煎出容器を手作業でクリーニングするという選択肢を提供する。
【００３１】
本発明の一実施態様では、この装置は、クリーニング手段からの廃液を収集するための第１の廃棄物容器と、空洞から取り除かれた残留物を伴う使用済みカートリッジを受け入れるための第２の廃棄物容器とを備える。この第１および第２の廃棄物容器が、不快な臭気の原因となることがあるカートリッジ内の煎出性材料が液体中に沈滞することを防止するために分離させられることが好ましい。
【００３２】
本発明のさらに別の目的が、液体の最適かつ効果的な煎出を可能にする装置とプロセスを提供することである。
【００３３】
したがって、この装置は、空洞を通して煎出容器内に気体を送り込むための送り込み手段を含む。
【００３４】
茶の煎出が３つの段階で行われることが当業者に公知である。最初に、茶葉に含まれているカフェインが液体に拡散させられ、その次に、すべての芳香が煎出液にその香りを与え、最後に、茶葉がそのタンニンを放出する。茶葉が過剰に長時間にわたって煎出されるかまたは間違った温度で煎出される場合には、第１または第２の段階の効果が無効化され、および、タンニンがカフェインまたは芳香を台無しにする。
【００３５】
煎出は茶葉の周囲で生じ、および、茶葉の直ぐ近くに位置した水が迅速に飽和状態になる。この煎出プロセスの速度が低下し、および、このプロセスの３つの段階が部分的に行われるかまたは不適切に行われる。茶葉の周囲の水はカフェインに関しては高濃度になるが、芳香に関しては低濃度である。
【００３６】
このような効果を防止するために、煎出を行う最中に、液体を攪拌して煎出液を均質化するために、空気のような気体が煎出チャンバ内に送り込まれる。
【００３７】
酸素と共に気体を送り込むことが、煎出茶飲料の品質を改善するさらに別の利点を提供する。水は加熱される時に酸素を失い、このことが茶の味に対して影響を及ぼすということが知られている。液体の煎出中にその液体を酸素処理することが、水の通常の酸素濃度を復元し、および、煎出茶の高品質の味を確実なものにする。
【００３８】
好ましい実施態様では、気体送り込み段階は、煎出されるべき液体を容器内に送り込む段階の終了と通路を開く段階の開始との間の時間の５０−８０％で、または、より明確に述べると６０−７０％で行われる。
【００３９】
本発明のさらに別の目的が、煎出中に煎出性材料がカートリッジ内に残ることを防止する装置とプロセスを提供することである。
【００４０】
使用時には、煎出のための液体が煎出容器内に送り込まれた後に、空洞内に配置されているカートリッジ内に収容されている茶葉が煎出容器の中に移動して自由に浮遊することが可能である。しかし、茶葉は、カートリッジ内に留まって液体が適正に煎出することを妨害する傾向がある。
【００４１】
このために、気体を送り込む手段は、空洞内に配置されている突出ノズルを備える。この突出ノズルは、気体を送り込むための少なくとも１つの開口を備えている。
【００４２】
この気体は、空洞内に配置されているカートリッジの開口を通して少なくとも送り込まれる。この気体は、茶葉が煎出容器内に浮遊することが可能であるようにカートリッジの外に大半の茶葉を押し出す。
【００４３】
気体を送り込むさらに別の段階が、煎出用の液体を送り込む段階の後に実質的に直ちに行われることが有利である。煎出が開始すると直ちに、大半の茶葉がカートリッジから煎出容器の中に送り込まれる。
【００４４】
一実施態様では、突出ノズルは、空洞とその空洞中に収容されているカートリッジとの中に気体を横方向（すなわち、カートリッジの底部部分に対して実質的に平行である方向）に供給するための少なくとも１つの開口を、ノズルの側方側部内に備えている。この方向に放出される気体が、カートリッジ内に依然として付着しているすべての煎出性材料が引き出されることを確実なものにする。
【００４５】
別の実施態様では、突出ノズルは、受け容器とこの受け容器内に収容されているカートリッジとの中に垂直方向（すなわち、カートリッジの側壁に対して実質的に平行である方向）に気体を供給するための少なくとも１つの開口をそのノズルの頂部上に備えている。この突出ノズルは、さらに、その側方側部と頂部側部との両方の中に注入開口も含むだろう。
【００４６】
一実施態様では、煎出容器は密閉容器から成る。この密閉容器は、その容器内で生じる高圧力よるあらゆる危険を防止するために安全弁を備えるだろう。この煎出容器のサイズは、カートリッジの煎出性材料を煎じ出すのに十分な液体を収容するように、かつ、煎出液体の表面の上方に気体と空気とを含むように計算されている。煎出液体と上方の気体との間の熱の流れが、そうでない場合には蒸発によって失われてしまうことがある芳香の濃縮を可能にするように生じることが重要である。
【００４７】
本発明のさらに別の目的が、煎出されるべき煎出性材料のタイプにしたがって最適の煎出液を生じさせる装置とプロセスとを提供することである。あらゆるタイプの茶葉はその特定の条件にしたがって煎出されなければならないということが茶の鑑定家に知られている。
【００４８】
このために、この装置は、カートリッジから調製パラメータを読み取るための自動読み取り手段を含む。この自動読み取り手段は、バーコード読み取り装置、カラー検出器、または、カートリッジ表面上に刻み込まれている記号の検出器から成るだろう。
【００４９】
有利には、この調製パラメータが、煎出温度、および／または、煎出持続時間、および／または、気体の送り込みが何時行われるか、この気体送り込みがどれだけ長く続くか等から成るだろう。一実施態様では、煎出容器内で煎出する時に液体を適正な温度に維持するように煎出容器を加熱するために、加熱手段が備えられている。
【００５０】
一実施態様では、煎出容器内に液体が注入されおよび／または送り込まれる時にその液体を加熱するための加熱手段が備えられている。
【００５１】
煎出が終了すると、液体が、その装置の外側に向けて、例えば、カップ内に向けて直接的にポンプによって送られるか、重力によって送られるか、または、貯蔵容器の中に一時的に貯蔵され、その後で外側に向けてポンプによって送られるかまたは重力によって送られる。
【００５２】
通路が、煎出液体がその通路からカップ内に直接的に流れ込むことを可能にするための噴出口を備えることが有利である。
【００５３】
本発明の別の目的が、煎出後の膨張したカートリッジの中に煎出性材料が戻る時にすべての煎出性材料を収容するのに十分なだけ大きい、乾燥した煎出性材料を収容するカートリッジを提供することである。このために、カートリッジの頂部部分と底部部分と少なくとも１つの側壁とが、乾燥した煎出性材料の体積の２倍から５倍までの体積、特に約４倍の体積を取り囲むだろう。
【００５４】
本発明のこれらの側面とさらに別の側面とが、単なる例示として、かつ、添付図面を参照して、以下でより詳細に説明されるだろう。
【００５５】
添付図面は同一の縮小比で描かれてはいない。添付図面においては、一般的に、同一の構成要素が同一の照合番号で示されている。
【発明を実施するための最良の形態】
【００５６】
図１は、一実施形態による煎出飲料を調製するための装置の前方斜視図を示す。
【００５７】
装置２は、液体を収容する着脱自在なリザーバ６６を備える。このリザーバ６６は、煎出飲料を調製するための濾過された水を収容することが好ましい。リザーバ６６は、バルブキャップ（ｖａｌｖｅ  ｃａｐ）で閉じられている瓶から成ることが好ましい。
【００５８】
リザーバ６６は、バルブキャップが上にねじ込まれている標準的な瓶（ミネラルボトル（ｍｉｎｅｒａｌ  ｂｏｔｔｌｅ）等）から成るだろう。装置２は、さらに、液体４を収容するための２つの煎出容器６を備える。この煎出容器６は、空気と、通常の１カップ分の飲料に十分な水とを同時に収容するように設計されている。あるいは、この代わりに、煎出容器６は、数カップ分の飲料を収容するように設計されている。煎出容器６は、密閉された空間から成ることが好ましい。煎出容器６は、高圧力が生じることによるあらゆる危険を防止するために空気と水とが流出することを可能にするための安全弁（図示されていない）を備えることもある。
【００５９】
煎出容器６が、必要に応じてそのクリーニングと交換とを可能にするために着脱自在であることが好ましい。煎出容器６はガラス、金属、鋳鉄、ステンレス鋼材、または、煎出液体を収容するのに適合している任意の他の耐熱性材料で作られている。
【００６０】
煎出容器６は、支持アーム６９を介して装置２に連結されている乗せ台６８上に配置されている。着脱自在な保持キャップ７０が容器６の頂部上にクリップ留めされている。開口（図示されていない）が容器６の頂部上に配置されており、および、保持キャップ７０によって閉じられている。１対の円弧形アーム７１が保持キャップ７０を乗せ台６８に連結する。容器６は乗せ台６８と保持キャップ７０との間にしっかりと保持されている。支持アーム６９と保持キャップ７０と１対のアーム７１は、煎出容器６と装置２の他の内部要素との間を気体と液体とが流れるための様々な導管を囲む。
【００６１】
開口８（図示されていない）が、容器６の外に液体４が流出することを可能にするために容器６の底部に設けられている。
【００６２】
乗せ台６８は噴出口１９を備え、この噴出口１９を通って煎出飲料が装置２の外に注ぎ出される。この噴出口はカップ支持物６４の上方に開く。このカップ支持物６４は、噴出口１９から直接的に注がれる煎出飲料を集めるためのカップまたは類似の容器を保持するようになっている。
【００６３】
装置２は、１回で１つまたは２つ以上の煎出飲料を同時に調製するようになっているだろう。装置２は、対応する数の煎出容器６と付属部品とを備える。
【００６４】
次に図２を参照すると、乗せ台６８は、煎出性材料１４を収容するカートリッジ１２を受け入れるための受け容器１０を備える。この特定の実施形態では、受け容器１０は引き出しから成る。引き出し１０は、少なくとも第１の位置と第２の位置との間で作動可能である。この引き出し１０は、乗せ台６８内の閉じ位置から乗せ台６８の外の開き位置にスライドする。引き出しは、煎出性材料を収容するカートリッジ１２（図示されていない）が中に挿入されることが可能な空洞１６を備える。引き出し１０は自動的にまたは手動によってスライドするだろう。引き出し１０が乗せ台６８内で閉じられる時には、引き出し１０の空洞１６は煎出容器６の底部開口８と連通し、したがって煎出容器６と空洞１６とが煎出チャンバを形成する。
【００６５】
別の実施形態では、受け容器１０は、乗せ台６８に向かって旋回するかまたは乗せ台６８から離れるように旋回する、旋回式の引き出しから成ってもよい。あるいは、この代わりに、受け容器１０は装置２に対して相対的に固定されていることが可能であると同時に、煎出リザーバ６が受け容器１０に対して接触状態に位置させられるように作動させられる。
【００６６】
引き出し１０の空洞１６は、乗せ台６８内に配置されている通路１８（図示されていない）に連結されている。作動弁（ａｃｔｕａｔｅｄ  ｖａｌｖｅ）が通路１８の開閉を可能にする。通路１８が開かれると、液体が空洞１６を通過して煎出容器６から通路１８に流れ出る。通路１８が閉じられると、空洞１６と煎出容器６とによって形成されている煎出チャンバが閉じられる。通路１８は、噴出口１９と、作動弁を経由して廃水用の導管（後述する）とに連結されている。通路の中に流れ込む液体は、廃水のための導管または噴出口１９のどちらかに方向付けられるだろう。
【００６７】
装置２は、さらに、煎出飲料を一時的に貯蔵するために、作動弁を経由して通路１８に連結されている一時貯蔵容器も備えるだろう。しかし、煎出飲料が貯蔵容器内で煎出し続けてその味わいと芳香を悪化させるので、使用の準備が整ったカップに煎出飲料を直接的に移動させることが推奨される。
【００６８】
次に、装置２を図４および図５に関して説明する。
【００６９】
装置２は、リザーバ６６のための支持物７２を備える。この支持物７２は、リザーバ６６のバルブキャップが差し込まれる開口を備え、および、リザーバ６６内に収容されている水に対する到達を可能にする。支持物７２は導管６５ａに連結されており、および、リザーバ６６からの水の流路を生じさせる。導管６５ａは、それぞれの煎出容器６に水を移動させるために、作動弁のシステムを経由して一連の導管６５ｂに連結されている。導管６５ｂは１対のアーム７１の一方のアーム内に配置されている。幾つかの出口６１を有する散水器６３が導管６５ｂの一方の末端に配置されている。散水器６３は保持キャップ７０内に配置されており、および、煎出容器６の頂部に配置されている開口の中に差し込まれている。
【００７０】
複数の出口６１は、水が幾つかの方向において容器６内に放出されることを確実なものにする。ポンプ６７が、導管６５ａから導管６５ｂへの水の移動のために使用される。水は、様々な圧力で煎出容器６内に放出されるだろう。
【００７１】
装置２は、さらに、水が導管６５ｂ内を移動する最中に水を加熱するための加熱チャンバ５９を備える。水が煎出容器６内に注ぎ込まれる時に、その水は推奨温度に達する。煎出容器６は、さらに、この容器６内の液体の適正な温度を維持するために、加熱要素（図示されていない）の補助によって加熱されてもよい。この加熱要素は乗せ台６８内に配置されているだろう。
【００７２】
別の実施形態では、この装置は、リザーバ６６からの水を貯蔵するための貯蔵容器を備える。貯蔵リザーバ内の水は、沸点の直ぐ下の温度、好ましくは約９５度に加熱される。貯蔵リザーバからの熱湯とリザーバ６６からの冷水とが導管６５ｂの送られる前に混合される。いったん混合された水の温度を調整するためにセンサが備えられている。熱湯／冷水の比率は、水が推奨温度で煎出容器６内に注入されるように適合化させられる。
【００７３】
この装置は、さらに、アーム６９と乗せ台６８との中に配置されている空気または気体入口パイプ２８を備える。この気体入口パイプ２８は、加圧された気体を配送するようになっている。一実施形態では、ポンプ６７は、入口パイプの末端の１つの中に加圧気体を放出するために使用される。ポンプ６７は、入口における気体の圧力を調整するために作動させられる。
【００７４】
装置２は、さらに、煎出容器６からの廃水を収集するための導管２３も備える。第１の廃棄物容器７６（図示されていない）に一方の末端が連結されているこの導管２３はアーム６９と乗せ台６８との中を延び、および、その他方の末端は乗せ台６８内に配置されている。
【００７５】
装置２は、さらに、受け容器１０から使用済みカートリッジを収集するための導管２４も備える。この導管２４はアーム６９内に配置されており、および、装置２内に位置している第２の廃棄物容器７８（図示されていない）の上方に開く。
【００７６】
公知の仕方で、装置２は、さらに、１つのカップホルダ６４の上のカップの存在を検出するためのセンサと、ユーザが装置２を操作するための１組の操作ノブ３と、装置２のすべての機構を電子的に制御および操作するための処理手段を備える作動手段とを備える。この処理手段は、プリント回路と、この処理手段によって使用されるデータを記憶するための記憶装置とを含む。
【００７７】
次に、廃水と使用済みカートリッジとを収集するシステムを、図３、図６、図７ａ、図７ｂに関連付けて説明する。
【００７８】
装置２は、スライド式引き出し８０を備える。第１の着脱自在な廃棄物容器７６がこの引き出し８０内に配置されている。第２の着脱自在な廃棄物容器７８が、第１の廃水容器７６の上において引き出し８０内に配置されている。第２の廃棄物容器７８は、使用済みカートリッジ１２を収集するようになっている。この第２の廃棄物容器７８の底部部分７８ａは、液体を流出させるためのフィルタまたは穿孔を備える。第１の廃棄物容器７６は廃水を受けるようになっている。
【００７９】
連結アーム７５がカップホルダ６４を引き出し８０に連結する。カップホルダ６４は、噴出口１９またはカップ支持物６４上のカップから流れる液体を収集するための廃棄物容器７７を備える。廃棄物容器７７からの廃水が第１の廃棄物容器７６内に収集されるように、廃棄物容器７７は、連結アーム７５内に配置されている導管（図示されていない）を経由して引き出し８０に連結されている。
【００８０】
この実施形態では、第１および第２の廃棄物容器７６、７８は互いに独立している。あるいは、この代わりに、装置２は、使用済みカートリッジ１２と廃水との両方に対して使用される単一の廃棄物容器を含んでもよい。
【００８１】
図８ａ、図８ｂ、図８ｃ、図８ｄ、図８ｅに示されているように、本発明において使用するためのカートリッジ１２は、一般的に、液体を通過させるようになっているフィルタ４４を備えている底部部分４２と、開口３５を備えている頂部部分３８と、底部部分４２と頂部部分３８とを連結する少なくとも１つの側壁４５とを含む。このカートリッジ１２は、煎出性材料１２を収容するための内側体積４０を画定する。この体積４０は、標準的な１カップ分の煎出飲料を調製するために十分な煎出性材料１２を受け入れるように計算されている。煎出性材料は、水に浸される時に膨張する傾向がある。体積４０は、さらに、いったん煎出させられた膨張した煎出性材料のすべてを収容するようにも計算されている。好ましい体積４０は、乾燥した煎出性材料１４の体積の２倍から５倍、好ましくは約４倍であることが可能である。
【００８２】
カートリッジ１２は円錐形であり、底部部分４２の高さで先端を切られている。一実施形態では、頂部部分３８と底部部分４２との断面は円形または楕円形である。開口３５の断面は円形または楕円形である。側壁４５と底部部分４２との間に形成される角度αが９０度から１００度までであり、好ましくは９３度から９７度までである。別の実施形態では、カートリッジ１２は円筒形である。
【００８３】
この形状は、標準的な１カップ分の煎出飲料を調製するために十分な煎出性材料１２を収容するのに十分な大きさである内側体積４０を形成することを可能にする。この形状は、カートリッジ１２が空洞１６内に容易に挿入されることを可能にする。この形状は、さらに、カートリッジ１２と空洞１６との間の完全な嵌め合いを確実なものにするのに完全に適している。
【００８４】
カートリッジ１２の少なくとも１つの側壁は、水と空気と光とに対して非透過性であるように気密性かつ水密性であり、不透明である。
【００８５】
カートリッジ１２がアルミニウムで作られていることが好ましい。食品との接触が認可されているアルミニウムが使用されるだろう。あるいは、この代わりに、カートリッジ１２の内側表面は、数分間にわたって少なくとも１００℃までの温度に耐えることが可能な食品との接触が認可されている被覆層で被覆されてもよい。
【００８６】
フィルタ４４がカートリッジ１２の一部分であり、かつ、アルミニウムで作られている穿孔されたシートであることが好ましい。食品との接触が認可されているアルミニウムが使用されるだろう。あるいは、この代わりに、フィルタ４４の内側表面は、食品との接触が認可されている被覆層で被覆されてもよい。
【００８７】
あるいは、この代わりに、フィルタ４４は、少なくとも、羊毛で作られているか、または、煎出と濾過とに適合化されている任意の天然または合成材料で作られているシートから成ることがある。このシートは、底部部分４２に対して、好ましくはカートリッジ１２の内壁上に、従来通りの方法で取り付けられている。
【００８８】
頂部部分３８は、開口３５を少なくとも部分的に取り囲むリップ３９を備える。このリップ３９は、受け容器１０の縁の上に載る。開口３５は、カートリッジの外側に向かって配置されているシート５０（図示されていない）によって閉じられかつ覆われている。シート５０がアルミニウムで作られており、かつ、従来通りの仕方でリップ３９にヒートシールされていることが好ましい．あるいは、この代わりに、使用前にカートリッジの内容をユーザが目視することを可能にするように、透明材料で作られていてもよい。この場合には、カートリッジ１２の内壁上にコントラスト強調色の被覆層を有することが好ましいだろう。
【００８９】
一実施形態では、頂部部分３８は、カートリッジ１２の外側に向けて配置されているフィルタ（図示されていない）によって覆われているだろう。シート５０はフィルタを覆う。このフィルタは、羊毛で作られているか、または、煎出と濾過とに適合化されている任意の天然または合成材料で作られている、伸張可能で変形可能なシートから成る。このようなフィルタを備えるカートリッジ１２が水中に浸される時には、このフィルタはカートリッジの外に出て水中に広がる。このフィルタは、カートリッジ１２内に収容されている煎出性材料１４が浮遊することが可能である水中の空間を生じさせる。このフィルタは、特に煎出容器６内において、および、一般的には装置内において、煎出性材料１４があらゆる場所に散乱することを防止する。底部部分４２は、フィルタ４４を基準としてカートリッジ１２の外側に向かって配置されている取り除き可能なシート３６によって回復させられる。この取り除き可能なシート３６は、従来通りの仕方でカートリッジ１２にヒートシールされているかまたは接着されているだろう。この取り除き可能なシート３６は、アルミニウム、または、食品との接触が認可されている任意の他の材料で作られている。この取り除き可能なシート３６は把持手段（図示されていない）を備え、したがってユーザはこのシート３６を把持してカートリッジ１２から取り除くことが可能である。
【００９０】
シート３６、５０は、カートリッジ１２の内側内容物４０を密封して真空包装する。煎出性材料１４は空気と湿気とから保護されている。シート３６、５０とカートリッジ１２の両方が、光からもその内容物１４を保護するために不透明な材料で作られていることが好ましい。
【００９１】
カートリッジ１２は、煎出パラメータを含むか表示する記号または任意の自動読取り可能な手段を備えるだろう。この記号または読取り可能な手段は、側壁４５の外側表面上に、または、リップ３９上に、または、シート５０上に配置されているだろう。
【００９２】
一実施形態では、底部部分４２は、カートリッジ１２の内側に向けて形成されている凹み４６を含む。この凹み４６は円錐台形であり、および、この凹み４６の大きい方の断面が底部部分４２の高さにある。凹み４６の大きい方の断面は、２ミリメートルから１５ミリメートルまでの直径を有し、より明確には、２ミリメートルから６ミリメートルまでの直径を有する。
【００９３】
凹み４６は、気体を通過させるための開口４８を備える。一実施形態では、４つの開口４８が側壁５２上に配置されており、および、１つの開口４８が凹み４６の頂部部分５４上に配置されている。一例としては、側壁上の４つの開口４８は凹み４８の軸線に関して対称的に配置されている。
【００９４】
次に、一実施形態による受け容器１０を図９に関連付けて説明する。
【００９５】
受け容器１０は、前部パネル１０５、トレイ１０７を備える引き出しから成る。この引き出し１０は、乗せ台６８の内側に位置している２つの側方パネル１０４ａ、１０４ｂに沿ってスライドする。乗せ台６８は、さらに、この乗せ台６８内を下方に延びる斜面を形成する放出シュート１０６を備える。この放出シュート１０６の一方の側部は、両方の側方パネル１０４ａ、１０４ｂの底部部分に対して突き当たる形で配置されており、一方、放出シュート１０６の他方の側部はアーム６９の入口において導管２４に連結されている。複数ランナ機構（ｍｕｌｔｉｐｌｅ  ｒｕｎｎｅｒ  ｍｅｃｈａｎｉｓｍ）が側方パネル１０４ａ、１０４ｂの両方の頂部端縁上に配置されている。
【００９６】
複数ランナ機構を介して側方パネルに連結されているトレイ１０７は、側方パネル１０３、１０４に沿ってスライドする。トレイ１０７は、ヒンジ１０８を介して互いにヒンジ式に留められている２つのパネル１０７ａ、１０７ｂによって形成されている。このヒンジ１０８はトレイ１０７のスライド方向に対して垂直に配置されている。
【００９７】
一実施形態では、複数ランナ機構は、側方パネル１０４ａ、１０４ｂの頂部端縁上に配置されている第１のランナ１０１と、第１のランナ１０１の上または中をスライドする第２のランナ１０２と、第２のランナ１０２内をスライドする第３のランナ１０３とから成るだろう。トレイ１０７は、第３のランナ１０３の上または中をスライドする。前部パネル１０５は第３のランナ１０３に固定されている。複数ランナ機構は、自動的にまたは手動によって作動させられるだろう。この自動的な動作は、当業者に公知の従来通りの作動機構によって制御される。
【００９８】
トレイ１０７は、カートリッジ１２を受け入れるようになっている空洞１６を備える。この空洞１６は、トレイ１０７の第１のパネル１０７ａに連結されている部分側壁１１０と、この側壁１１０に連結されている部分底部部分１１１とを備える。
【００９９】
部分側壁１１０と底部部分１１１は、前部パネル１０５の付近に、かつ、第１のパネル１０７ａだけの下方に配置されている。部分側壁１１０と部分底部部分１１１は、底部部分１１１の高さにおいて切頭されている部分円錐または円筒を形成する。上記部分円錐の寸法はカートリッジ１２の寸法よりもわずかに大きく、したがってカートリッジ１２は空洞１６の中にぴったりと嵌り込む。
【０１００】
円筒形または円錐台形であることが好ましい突出ノズル１１２が、空洞１６の内側に向かって底部部分１１１上に配置されている。この突出ノズル１１２の寸法は、空洞１６内に挿入されるカートリッジ１２の凹み４６が突出ノズル１１２に正確にぴったり嵌合するような寸法である。突出ノズル１１２は、空洞１２の内側に向けて気体を注入する開口１１３を備える。この開口１１３は、空洞内に挿入されるカートリッジ１２の凹み内の開口が注入開口１１３に面するように、突出ノズル１１２内に配置されている。一実施形態では、４つの開口１１３がノズル１１２の側壁上に配置され、かつ、１つの開口１１３がノズル１１２の頂部部分５４上に配置されている。
【０１０１】
突出ノズル１１２は、空洞１６の底部部分１１１内に配置されている導管２９（図示されていない）に連結されている。あるいは、この代わりに、導管２９は、空洞１６の内側または空洞１６の外側に向けて底部部分１１１の表面上に配置されていてもよい。
【０１０２】
導管２９は気体入口パイプ２８に連結されている。
【０１０３】
別の実施形態では、突出ノズル１１２は、空洞１６の部分側壁１１０の上に配置されているだろう。
【０１０４】
凹み１０９が、空洞１６の頂部端縁の周りのトレイ１０７の頂部表面上に配置されている。凹み１０９の断面は、空洞１６内に受け入れられるカートリッジ１２のリップ３９が凹み１０９にぴったりと嵌り込むように、カートリッジ１２のリップ３９の断面よりもわずかに大きい。
【０１０５】
一実施形態では、トレイ１０７は第３のランナ１０３に着脱自在に連結されている。乗せ台６８内に配置されている機構は、第３のランナ１０３からトレイ１０７を持ち上げて支持するために備えられている。
【０１０６】
引き出し１０は、さらに、空洞内のカートリッジ１２の存在を検出し、かつ、カートリッジ１２上に配置されている自動読取り可能な手段または記号を感知するようになっているセンサを備える。この読取り可能な手段または記号は、煎出温度に関する情報と、カートリッジ１２内に収容されている煎出性材料１４に適合化されている煎出時間と、煎出容器６の中に注入すべき液体の量と、突出ノズル１１２を通過する気体注入に関する情報等とを提供する。
【０１０７】
一例としては、このセンサは、色を検出するセンサから成るだろう。カートリッジ１２の色が、そのカートリッジ１２が収容する煎出性材料１２のタイプを示し、および、煎出パラメータに関連付けられている。このセンサは、１つの側方パネル１０３上に配置されている発光器（図示されていない）と、他方の側方パネル１０４上に配置されている受光器（図示されていない）とから成るだろう。空洞１６が部分側壁だけを備えるので、この空洞１６は、発光器と受光器との間を伝わるビームに干渉しない。
【０１０８】
次に、一実施形態による引き出し１０を開閉するための機構を、図１０ａから図１０ｃに関連付けて説明する。
【０１０９】
図１０ａは、第１の位置における乗せ台６８内の閉じられた引き出し１０を示す。３つのランナ１０１、１０２、１０３のすべてが、密集位置において、互いに重ね合わされており、または、互いの中に配置されている。
【０１１０】
トレイ１０７は第３のランナ１０３の上または中に固定されている。
【０１１１】
図１０ｂは、乗せ台６８の外にスライドする、中間位置にある引き出し１０を示す。第２のランナ１０２が第１のランナ１０１の外にスライドすると同時に、第３のランナ１０３が第２のランナ１０２の上または中に位置した状態のままである。
【０１１２】
図１０ｃは、第２の位置において完全に開かれている引き出し１０を示す。第３のランナ１０３は第２のランナ１０２の外にスライドし、および、完全に延ばされた位置に位置させられている、間、３つのランナ１０１、１０２、１０３。この時に、空洞１６は完全に到達可能であり、および、カートリッジ１２がこれと共に挿入されるだろう。
【０１１３】
引き出し１０を閉じる機構は開放機構と同一であり、逆の順序で個々の段階に従う。
【０１１４】
次に、引き出し１０が乗せ台６８の中にスライドすると同時にカートリッジを自動的に開く機構を、図２と図１１ａから図１１ｅとを参照して説明する。
【０１１５】
装置２は、平らなブレード３１が間に取り付けられている１対の互いに平行な円弧形の棒３３を備える。ブレード３１は、円弧形の棒３３の間に形成されている円筒形表面に対して接線方向に固定されている。ブレード３１は半円形または半楕円形のブレードであることが好ましく、および、その直線状の側部は棒材３１ａを介して円弧形の棒３３に連結されている。ブレード３１の小さい直径と長い直径は、カートリッジ１２の開口３５の小さい直径と長い直径よりもわずかに小さい。
【０１１６】
円弧形の棒３３は、乗せ台６８の中を通りかつ１対の円弧形アーム７１の内側において煎出容器６の周りを回転する。乗せ台６８内の引き出し１０のスライド移動が、円弧形の棒３３の動きに関係付けられている。一実施形態では、円弧形の棒３３の回転は、第１のランナ１０１の上または中をスライドする第２のランナ１０２の動きによって制御される。円弧形の棒３３と第２のランナ１０２は従来通りの形で互いに関係付けられている。
【０１１７】
円弧形の棒３３は、受け容器１０のスライド方向に対して接線方向に配置されている。円弧形の棒３３は、引き出し１０のトレイ１０７に対して接線方向にかつ引き出し１０の空洞１６の頂部部分の各側部上に配置されている。
【０１１８】
図１１ａは、引き出し１０がスライドして乗せ台６８の中に入り始める時の、カートリッジ１２に対するブレード３１の相対的な位置を示す。円弧形の棒３３は回転し、および、直ちにカートリッジ１２のリップ２９が、円弧形の棒３３とトレイ１０７の凹み１０９との間に挟まれる。ブレード３１の端縁が、開口の端縁の付近にあるカートリッジ１２の開口３５の内側で第１のシート５０に接触して穿孔する。図１１ｂから図１１ｄは、カートリッジ１２に対するブレード３１の相対的な位置を示し、および、引き出しはスライドして乗せ台６８の中に入り続ける。円弧形の棒３３は回転し続けており、および、ブレード３１はカートリッジ１２の内と外への円運動を行い、開口３５の端縁に隣接しているシート５０を切り取る。カートリッジ１２が円弧形の棒３３とトレイ１０７の凹み１０９との間の空洞１２の中で阻止された状態のままにされ、したがってブレード３１はシート５０の適正で効率的な切り取りを行うだろう。
【０１１９】
図１１ｅは、引き出し１０が乗せ台６８内のその最終位置に達する時の、カートリッジ１２に対するブレード３１の相対的な位置を示す。ブレード３１がカートリッジ１２の外に移動すると、このブレード３１は、このブレードが切り取ったばかりのシート３１の一部分をカートリッジ１２から押し離す。この切り取られた部分は、シート３１に部分的に連結されたまま残る。開口３５全体が到達可能である。
【０１２０】
別の実施形態では、シート５０の切り取り部分はシート５０から完全に分離させられ、および、ブレード３１がカートリッジ１２の外に移動する時にブレード３１によって引き離される。この切り取り部分は重力によって排出シュート１０６上に落下し、および、第２の廃棄物容器７８内に集められる。
【０１２１】
ブレード３１は、開口３５の断面に適合化された任意の形状であることが可能である。ブレード３１が開口３５を経由してカートリッジ１２の内と外にスライドしてシート５０を切断することを可能にするために、このブレードの寸法は開口の寸法よりも小さくなければならない。
引き出し１０が乗せ台６８内で閉じられ、および、カートリッジ１２の頂部シート５０が切り取られ終わると、トレイ１０７は第３のランナ１０３から持ち上げられて引き離される。
【０１２２】
トレイ１０７の凹み１０９内に位置しているカートリッジ１２のリップ３９は、煎出容器６の底部開口８と接触させられる。底部開口８の端縁上に配置されているガスケット８４が、煎出容器６とリップ３９との間の封止連結を確実なものにする。
【０１２３】
カートリッジ１２は、空洞１６内に嵌め込まれた状態を堅固に維持される。
【０１２４】
煎出容器６の開口８の寸法は、カートリッジ１２の開口３５を取り囲むように、トレイ１０７上の空洞１６の断面の寸法に等しいかまたはこの寸法よりも大きい。煎出容器６の開口８の寸法は、トレイ１０７の凹み１０９の断面の寸法よりも小さい。
【０１２５】
装置２は、さらに、乗せ台６８内に配置されている可動的なスナップ嵌め式インサート８１（図示されていない）を備える。このインサート８１の動きは装置２の作動手段によって作動させられる。このインサート８１は、トレイ１０の空洞１６と接触させられるようになっている。インサート８１は、空洞１６の側壁１１０の端縁と空洞１６の底部部分１１１とにぴったりと嵌合するようになっている。インサート８１は、さらに、トレイ１０７の底部表面と嵌合するようにもなっている。ガスケット８３（図示されていない）が、空洞１６と接触するようになっているインサート８１の各部分上に配置されていてもよい。インサート８１は通路１８に連結されている。
【０１２６】
引き出し１０が乗せ台６８内で閉じられて、トレイ１０７が煎出容器６の底部開口８と接触させられ終わった後に、インサート８１は操作されて空洞１６に接触させられ、この結果として、空洞６とインサート８１は互いにぴったりと嵌合する。ガスケット８３は、インサート８１と空洞１６とトレイ１０７との間の接触表面が封止状であることを確実にする。煎出容器６とトレイ１０７と空洞１６とインサート８１は、通路１８によって閉じられている封止煎出チャンバを形成する。
【０１２７】
次に、一実施形態による引き出し１０の空洞からカートリッジ１２を放出するための機構を、図１２ａから図１２ｃに関連付けて説明する。
【０１２８】
図１２ａは、第１の位置において乗せ台６８内で閉じられている引き出し１０を示す。３つのランナ１０１、１０２、１０３のすべては、密集位置において互いの上または中に固定されて配置されている。図１２ｂは、乗せ台６８の内側に向かって、第３のランナ１０３の上または中をスライドする中間位置にあるトレイ１０７を示す。図１２ｃは、第３の位置において乗せ台６８の内側に向かってさらにスライドするトレイ１０７を示し、この第３の位置では、トレイ１０７はヒンジ１０８の周囲に折り畳まれる。第２のパネル１０７ｂは第３のランナ１０３の外へスライドし、排出シュート１０６上に落下する。空洞１６は、第１のパネル１０７ａだけに沿って部分側壁１１０を備え、および、カートリッジ１２はもはや空洞１６内に保持されていない。カートリッジ１２は空洞から放出される。カートリッジ１２は排出シュート１０６上に落下し、アーム６９内の排出導管２４に向かってスライドして降下する。
【０１２９】
カートリッジ１２が排出シュート１０６上に落下すると、シート５０の切り取り部分はシート５０に向かって押し戻され、および、カートリッジ１２の開口３５を部分的に閉じる。煎出性材料１４はカートリッジ１２内に維持される。
【０１３０】
カートリッジ１２を取り出すための排出機構は、カートリッジを円滑に排出することを可能にする。この排出機構は、カートリッジ１２内に収容されている煎出材料１４がカートリッジ１２から外に落下することを防止する。煎出材料が排出シュート１０８上に落下させられる時に、幾らかの煎出材料１４が依然としてカートリッジ１２の外に落下することがある。この煎出材料はいずれの場合にも排出シュート１０８上に集められる。
【０１３１】
次に、本発明の別の実施形態による引き出し１０とインサート８１を、図１３に関連付けて説明する。空洞１６内のカートリッジ１２を検出するための機構も説明する。
【０１３２】
引き出し１０は、カートリッジ１２を受け入れるようになっている空洞１６を有するトレイ１０７を備える。空洞１６は、トレイ１０７に連結されている側壁１１０を備える。側壁１１０は、底部部分において切頭されている部分円錐または円筒を形成する。カートリッジ１２が空洞１６ｂの中に挿入される時には、このカートリッジ１２は、トレイ１０７の上部表面上に置かれるそのリップによって空洞１６内に保持される。カートリッジ１２の側壁４５は空洞１６の側壁１１０の上に置かれる。
【０１３３】
装置２は、さらに、乗せ台６８内に配置されている可動インサート８１を備える。インサート８１の移動が、装置２の作動手段によって制御される。インサート８１は、トレイ１０７の空洞と接触するように作動させられる。空洞１６の側壁１１０の端縁１１４とぴったりと嵌合するようになっているインサート８１。ガスケット８３が、空洞１６とインサート８１との間の封止接触を確実なものにするように、インサート８１上に、または、側壁１１０の端縁１１４上に配置されてもよい。インサート８１は通路１８に連結されている。
【０１３４】
円筒形または円錐台形であることが好ましい突出ノズル１１２が、空洞１６の内側に向かってインサート８１内に配置されている。気体の放出のための開口１１３を備えている突出ノズル１１２は、インサート８１内に配置されている導管２９に連結されている。導管２９は入口パイプ２８に連結されている。
【０１３５】
インサート８１は、カートリッジ１２が空洞１６内に填め込まれているか否かを検出するための検出器を備える。この検出器は、突出ノズル１１２の周囲に配置されておりかつ装置２の回路２５に接続されている作動押しボタン８２を備える。押しボタン８２は突出ノズル１１２に沿って上下にスライドすることが可能である。この押しボタン８２は、押し下げられる時に、装置の機能の一部を起動させる。押しボタン８２は、頂部部分の高さで切頭されている円錐形である。カートリッジ１２の凹み４６の（底部部分４２の高さにおける）底部断面の直径は、押しボタン８２の頂部断面の直径よりも大きい。
【０１３６】
凹み４６の円錐の角度が押しボタン８２の円錐の角度と実質的に同一であることが好ましい。
【０１３７】
引き出し１０が乗せ台６８内で閉じられて、トレイ１０７が煎出容器６の底部開口８と接触させられ終わった時に、インサート８１は空洞１６と接触させられるように動かされ、したがって、空洞６とインサート８１は互いにぴったりと嵌合する。カートリッジ１２は空洞１６内に堅固に保持され、そのリップ３９は、トレイ１０７の上部表面と煎出容器６の開口８の端縁との間に把持される。インサート８１が持ち上げられている間に、突出ノズル１１２と押しボタン８２はカートリッジ１２の凹み４６の中に移動する。押しボタン８２の外側の側部表面が凹み４６の側部表面と接触させられる。
【０１３８】
押しボタン８２は、この押しボタン８２が凹み４６の表面と突出ノズル１１２との間で阻止されるまで、凹み４６の中へ移動し続けて、凹み４６の表面に沿ってスライドする。インサート８１が上方にスライドし続ける時に、押しボタン８２はカートリッジ１２の凹み４６の表面によって下方に押される。この押しボタンは、装置２内のプロセスの起動のために回路２５内の新たな接続を生じさせる。インサート８１が空洞１６の端縁１１４と接触させられると、突出ノズル１１２はカートリッジ１２の凹み４６の内側に位置させられ、したがって突出ノズル１１２の開口１１３は凹み４６の開口４８に面する。
【０１３９】
次に、図８Ｆに関連付けて本発明の別の実施形態を説明する。図８Ｆは、本発明の別の実施形態によるカートリッジ１２の断面を示す。
【０１４０】
カートリッジの底部部分４２は、カートリッジ１２の内側に向かう凹み４６ａを備える。この凹み４６ａは第１の切頭円錐４６ａ１から成り、および、この第１の切頭円錐４６ａ１の大きい方の断面が、カートリッジ１２の底部部分４２の高さにあり、かつ、第１の円錐４６ａ１の上に「重ねられている」第２の切頭円錐または円筒４６ａ２の高さにある。第１の円錐４６ａ１と第２の円錐４６ｂ２との間の交差が、作動表面４６ｂを構成する。凹み４６ａ２は、空気を通過させるための開口４８を備える。
【０１４１】
凹み４６ａ１の底部断面の直径は押しボタン８２の頂部断面の直径よりも大きい。
【０１４２】
凹み４６ａ１の円錐の角度が押しボタン８２の円錐の角度と実質的に同一であることが好ましい。
【０１４３】
使用時には、インサート８１が上昇させられると、突出ノズル１１２とインサート８１の押しボタン８２とがカートリッジ１２の凹み４６ａ１の中に移動する。押しボタン８２の外側の側部表面は、凹み４６ａ１の側部表面と接触させられる。押しボタン８２は、作動表面４６ｂによって阻止されるまで、凹み４６ａ１の表面に沿ってスライドする。インサート８１が上方にスライドし続けるので、押しボタン８２は表面４６ｂによって押し下げられる。この押しボタンは、装置２内のプロセスの起動のための回路２５内の新たな接続を生じさせる。インサート８１が空洞１６の端縁１１４に接触させられると、突出ノズル１１２はカートリッジ１２の凹み４６ａ２の内側に位置させられ、したがって突出ノズル１１２の開口１１３は凹み４６ａの開口４８に面する。
【０１４４】
次に、煎出飲料を調製するための装置の機能を説明する。受け容器１０はノブの起動によって手動または自動で開く。
【０１４５】
取り除き可能な底部シート３６が取り外され終わっているカートリッジ１２が、受け容器１０の中に入れられる。受け容器１０は自動的にまたは手動によって閉じられて、乗せ台６８の内側をスライドする。受け容器１０が閉じられる間に、センサが空洞１２内のカートリッジの存在とその色とを検出する。
【０１４６】
同時に、保護頂部シール５０はカートリッジ１２から自動的に切り取られ、カートリッジ１２の内側に配置されている煎出性材料１４に対する到達を可能にする。
【０１４７】
プロセッサが、従来通りの仕方でカートリッジ１２の色にしたがって煎出パラメータを選択する。
【０１４８】
煎出容器６と空洞１６と通路１８との間に封止連結が生じさせられる。トレイ１０７は第３のランナ１０３から持ち上げられて離される。スナップ嵌め式インサート８１は、空洞１６とトレイ１０７とに接触させられる。通路１８が閉じられる。通路１８によって閉じられる封止煎出チャンバは、煎出容器６とトレイ１０７と空洞１６とスナップ嵌め式インサート８１とによって形成されている。
【０１４９】
弁が、導管６５ａを関連の導管６５ｂに連結するために弁が起動される。水がリザーバ６６からポンプで送られ、カートリッジ１２の色にしたがってプロセッサによって選択された推奨圧力で導管６５ｂに送られる。水は加熱されると同時に加熱チャンバ６９を通って移動する。散水器６３が、カートリッジ１２の色にしたがってプロセッサによって選択された推奨温度で容器６内に熱湯を注入する。
【０１５０】
液体が、カートリッジ１２内に収容されている煎出性材料１４を浸す煎出容器６の中に送り込まれる。この滲出性材料１４は煎出チャンバの中に自由に浮遊し始める。煎出が生じる。
【０１５１】
プロセッサが、煎出容器６内の液体４を推奨温度に維持するために、煎出容器６の周囲の加熱要素を制御する。
【０１５２】
インサート８１内に配置されている押しボタン８２を検出器が備える実施形態では、この押しボタンは、弁の起動、および／または、煎出チャンバ内への煎出のための液体の送り込みとを制御するだろう。この検出器は、カートリッジ１２が空洞１６内に無い時に、煎出チャンバ６が熱湯で満たされることを防止する。
【０１５３】
煎出容器６が水４で満たされた直後に、第１の酸素処理が行われ、および、加圧気体が、突出ノズル１１２の開口１１３を通して容器６内に送り込まれる。
【０１５４】
煎出性材料１４は煎出液体４内で混合され、この煎出液体４は撹拌される。ノズル１１３によって放出される気体が、カートリッジ１２内に残留することがある煎出性材料１４のすべてを引き離す。
【０１５５】
気体が送り込まれる圧力がフィルタ４４の気体透過率に比較して過剰に高い場合には、気体ポケットがカートリッジ１２の表面の下方に形成されて、カートリッジを空洞の外に押し出す力を生じさせるだろう。凹み４６内に備えられている開口４８が、フィルタ４４が引き裂かれることと、装置２内の膨張力が生じることとを防止する。開口４８は注入ノズル１１２の開口１１３に面するようになっている。開口４８のサイズは注入開口１１３のサイズと実質的に同一である。
【０１５６】
第２の酸素処理が煎出中に後で行われる。加圧気体が再び容器６内に送り込まれる。煎出性材料１４が煎出液体４内に混合され、この煎出液体が撹拌される。ノズル１１３によって放出される気体が、カートリッジ１２内に依然として残留することがある煎出性材料１４のすべてを引き離す。
【０１５７】
第２の酸素処理が行われる時点と、第１および第２の酸素処理の持続時間と、気体が煎出チャンバ内に注入される圧力とに関するデータが、カートリッジ１２内に収容されている煎出性材料１４のタイプに関連付けられているパラメータの一部分であるだろう。
【０１５８】
煎出が完了すると、弁が自動的に起動される。通路１８は噴出口１９に連結されて開かれる。煎出された飲料が、カップホルダ６４上に置かれているカップの中に重力によって運ばれる。安全機構が、カップがカップホルダ６４上に無い場合に通路１８を閉じた状態に維持するために備えられてもよい。
【０１５９】
煎出飲料がカップの中に注入され終わった直後に、装置２のクリーニングが開始される。弁が自動的に起動される。通路１８が廃水導管２３に連結され、導管６５ａが関連の導管６５ｂに連結される。通路１８は開いた状態のままである。水がリザーバ６６からポンプで送られて、特定の圧力で導管６５ｂに送られ、したがって、散水器６３が煎出容器６の内壁に沿って水を放出する。散水器６３は、水を全方向に放出しかつ煎出容器６の内側表面全体上を水が流れることを確実にするための十分な数の出口６１を備えている。水が加熱チャンバ６９を通って移動する最中に、水が加熱されてもよい。
【０１６０】
水が液体として煎出容器６内に放出されることが好ましい。洗浄水が、煎出容器６の内壁に沿って下降し、煎出チャンバから、廃水導管２３を通って、第１の廃棄物容器７４に向かって流れる。容器６の内壁上に付着した大きな残留物が洗い流されて、カートリッジ１２内に集められる。
【０１６１】
第１のクリーニング作業が完了し、および、煎出容器６が空にされ終わると、カートリッジ１２の排出が開始されるだろう。インサート８１が空洞１６から取り外される。トレイ１０７が下降させられて、第３のランナ１０３と接触させられる。空洞１６からカートリッジ１２を排出するために、排出機構が起動される。トレイ１０３はその以前の位置にスライドして戻り、および、再び煎出容器６の底部端縁８に突き当たるように上昇させられる。インサート８１は再び空洞１６に接触させられる。
【０１６２】
インサート８１内に位置した押しボタン８２を検出器が備える実施形態では、カートリッジ１２が空洞１６から取り外された後に押しボタン８２が解除される。この押しボタン８２の解除は、弁の作動、および／または、煎出チャンバ内での煎出のための液体の注入とを制御するだろう。例えば、この押しボタン８２の解除は、第２のクリーニング作業の起動を制御するだろう。
【０１６３】
第２のクリーニング作業が開始される。煎出飲料と接触している装置２内のすべての部品（すなわち、煎出容器６と、空洞１６と、インサート８１と、注入ノズル１１２と、通路１８と、通路１８の開きを制御する電気弁）を洗浄するために、水が再び煎出容器６内に注入される。
【０１６４】
この洗浄作業中に、煎出飲料に接触している装置２の全部品が適正に洗浄されることを確実なものにするために、通路１８は連続的に数回にわたって開閉されるだろう。
【０１６５】
洗浄作業中に、蒸気が水と共に煎出チャンバ内に放出されるだろう。この蒸気は煎出容器６内を迅速に満たし、および、表面に接触して凝縮する前に煎出チャンバの内側表面全体に到達する。蒸気は煎出チャンバの内側表面の到達困難な部分（例えば、煎出容器６内の散水器６３の周囲）に到達する。
【０１６６】
本発明の様々な実施形態を詳細に説明してきたが、これらの実施形態の変更と適合化とが当業者によって見出されるだろうということが明らかである。しかし、こうした変更と適合化とが本発明の範囲内に含まれているということが明確に理解されなければならない。
【図面の簡単な説明】
【０１６７】
【図１】図１は、一実施形態による煎出飲料を調製する装置の前方斜視図を示す。
【図２】図２は、その装置の詳細な側面斜視図を示す。
【図３】図３は、一実施形態による煎出飲料を調製する装置の内側の前方斜視図を示す。
【図４】図４は、一実施形態による煎出飲料を調製する装置の内側の前方斜視図を示す。
【図５】図５は、一実施形態による煎出飲料を調製する装置の内側の後方斜視図を示す。
【図６】図６は、一実施形態による煎出飲料を調製する装置の内側の側面斜視図を示す。
【図７ａ】図７ａは、一実施形態による廃棄物容器の側面斜視図を示す。
【図７ｂ】図７ｂは、一実施形態による廃棄物容器の側面斜視図を示す。
【図８ａ】図８ａは、煎出飲料を調製する装置で使用するための一実施形態によるカートリッジの上面斜視図を示す。
【図８ｂ】図８ｂは、一実施形態によるカートリッジの底面斜視図を示す。
【図８ｃ】図８ｃは、一実施形態によるカートリッジの側面斜視図を示す。
【図８ｄ】図８ｄは、一実施形態によるカートリッジの底部部分の側面斜視図を示す。
【図８ｅ】図８ｅは、一実施形態によるカートリッジの断面側面図を示す。
【図８ｆ】図８ｆは、別の実施形態によるカートリッジの断面側面図を示す。
【図９】図９は、一実施形態によるカートリッジを受け入れるための受け容器の上面斜視図を示す。
【図１０ａ】図１０ａは、一実施形態による受け容器を開くための機構を示す。
【図１０ｂ】図１０ｂは、一実施形態による受け容器を開くための機構を示す。
【図１０ｃ】図１０ｃは、一実施形態による受け容器を開くための機構を示す。
【図１１ａ】図１１ａは、一実施形態による煎出飲料を調製するための装置の内側に配置されているカートリッジを開くための機構を示す。
【図１１ｂ】図１１ｂは、一実施形態による煎出飲料を調製するための装置の内側に配置されているカートリッジを開くための機構を示す。
【図１１ｃ】図１１ｃは、一実施形態による煎出飲料を調製するための装置の内側に配置されているカートリッジを開くための機構を示す。
【図１１ｄ】図１１ｄは、一実施形態による煎出飲料を調製するための装置の内側に配置されているカートリッジを開くための機構を示す。
【図１１ｅ】図１１ｅは、一実施形態による煎出飲料を調製するための装置の内側に配置されているカートリッジを開くための機構を示す。
【図１２ａ】図１２ａは、一実施形態による使用済みカートリッジを排出するための機構を示す。
【図１２ｂ】図１２ｂは、一実施形態による使用済みカートリッジを排出するための機構を示す。
【図１２ｃ】図１２ｃは、一実施形態による使用済みカートリッジを排出するための機構を示す。
【図１３】図１３は、別の実施形態によるカートリッジを受け入れるための受け容器の概略的な断面を示す。
【図１】
2009511099.tif 000003
【図２】
2009511099.tif 000004
【図３】
2009511099.tif 000005
【図４】
2009511099.tif 000006
【図５】
2009511099.tif 000007
【図６】
2009511099.tif 000008
【図７ａ】
2009511099.tif 000009
【図７ｂ】
2009511099.tif 000010
【図８ａ】
2009511099.tif 000011
【図８ｂ】
2009511099.tif 000012
【図８ｃ】
2009511099.tif 000013
【図８ｄ】
2009511099.tif 000014
【図８Ｅ】
2009511099.tif 000015
【図８Ｆ】
2009511099.tif 000016
【図９】
2009511099.tif 000017
【図１０Ａ】
2009511099.tif 000018
【図１０Ｂ】
2009511099.tif 000019
【図１０Ｃ】
2009511099.tif 000020
【図１１ａ】
2009511099.tif 000021
【図１１ｂ】
2009511099.tif 000022
【図１１ｃ】
2009511099.tif 000023
【図１１ｄ】
2009511099.tif 000024
【図１１ｅ】
2009511099.tif 000025
【図１２Ａ】
2009511099.tif 000026
【図１２Ｂ】
2009511099.tif 000027
【図１２Ｃ】
2009511099.tif 000028
【図１３】
2009511099.tif 000029
【国際調査報告】
2009511099.tif 000030
2009511099.tif 000031